(57)【要約】      （修正有）【課題】有効に室内を適用環境となす空調設備を提供する。【解決手段】一組の密封管路構造１０、一組の給電構造、及びコントローラーを含む。密封管路構造は室外配置と室内配置に分けられ、室外配置は圧縮機１１、凝結器２０、外ファン２１、及び関係する管路制御部品を含み、室内配置は凝結器３０、蒸発器４０、内ファン３１及び関係する管路制御部品を含み、二つの管路配置の間は外接バルブ１３、１４で接続され、密封管路内部に冷媒が充填される。給電構造は外側回路板、内側回路板と複数のセンサ５４、５５、６４、６５、６６を含み、密封管路構造の各部品の動作を制御するのに用いられて、管路内部の冷媒に異なる流動経路を構成させる。コントローラー上に関係する設定ボタン、ディスプレイスクリーン及び指示ランプが設けられて、室内の必要な温度或いは湿度を設定でき、上述の密封管路構造は設定により冷房モード、暖房モード、除湿モードを構成し、室内に対して冷房、暖房、或いは除湿を行う。【選択図】図１
0003197617.tif 000002
【実用新案登録請求の範囲】
【請求項１】
空調設備において、
一組の密封管路構造であって、室外配置と室内配置に分けられ、該室外配置は、圧縮機、四方弁、第１凝結器、外ファン、第１電磁弁、第１逆止め弁、第１ろ過器、第１毛細管、及び第４逆止め弁を含み、該室内配置は、第２凝結器、内ファン、第２電磁弁、第２逆止め弁、蒸発器、第３電磁弁、第２ろ過器、第２毛細管、第３逆止め弁、及び排水管を含み、二つの管路配置の間は第１外接バルブと第２外接バルブにより接続され、密封管路内部には冷媒が充填される、上記一組の密封管路構造と、
一組の給電構造であって、外側回路板と内側回路板で構成され、該外側回路板は給電端子、変圧器、コントロール回路チップ、第１センサ、及び第２センサを含み、該内側回路板は、給電端子、変圧器、コントロール回路チップ、第３センサ、第４センサ、及び第５センサを含み、外側回路板、内側回路板にセンサが組み合わされて、密封管路構造の各部品の動作をコントロールするのに用いられ、管路内部の冷媒に異なる流動経路を構成させる、上記一組の給電構造と、
コントローラーであって、コントロールパネル上に、設定ボタン、ディスプレイスクリーンと指示ランプが設けられ、室内の必要な温度、湿度を設定でき、上記密封管路構造が設定に基づき冷房モード、暖房モード、除湿モードを構成して、室内に対して冷房、暖房、或いは除湿を行ない、除湿モード下で、室内湿度設定に基づき室内空気の湿度を下げても温度を下げることがない、上記コントローラーと、
を含むことを特徴とする、空調設備。
【請求項２】
請求項１記載の空調設備において、上記密封管路構造は該第１外接バルブと第２外接バルブにより、密封管路構造が室外配置と室内配置に分けられ、該空調設備が分離式機体に製造されるとき、該第１外接バルブ及び第２外接バルブは延伸管路の連接弁とされることを特徴とする、空調設備。
【請求項３】
請求項１記載の空調設備において、上記外側回路板の給電端子は、外部電源に接続されて外側回路板、圧縮機、四方弁、外ファン、及び第１電磁弁に給電するのに用いられ、変圧器の出力端はコントロール回路チップ及びその制御回路に給電するのに用いられ、第１センサは圧縮機の吐出口端に設置されて圧縮機の吐出口端の温度を検出するのに用いられ、第２センサは第１凝結器の外側に設置されて、室外温度を検出するのに用いられることを特徴とする、空調設備。
【請求項４】
請求項１記載の空調設備において、上記内側回路板の給電端子は外側回路板の給電端子と同一の外部電源に接続され、内側回路板、内ファン、第２電磁弁、及び第３電磁弁に給電するのに用いられ、変圧器の出力端は、コントロール回路チップ及びそのコントロール回路に給電するのに用いられ、第３センサは、上述の密封管路構造の第２凝結器の入風口端に設置されて、室内温度を検出するのに用いられ、第４センサは、密封管路構造の室内配置管路上に設置され、室内配置の管路温度を検出するのに用いられ、第５センサは、上述の密封管路構造の第２凝結器の入風口端に設置されて、室内湿度を検出するのに用いられることを特徴とする、空調設備。
【請求項５】
請求項１記載の空調設備において、上記コントローラーは、有線、或いは無線リモートコントロール方式で、給電構造に接続、導通されることを特徴とする、空調設備。
【請求項６】
請求項１又は５記載の空調設備において、上記コントローラーのパネル上には、ディスプレイスクリーン、昇温設定ボタン、降温設定ボタン、機能選択ボタン、風量ボタン、温度表示ランプ、湿度表示ランプ、タイマーボタン、及びスイッチボタンが設けられることを特徴とする、空調設備。
【請求項７】
請求項１記載の空調設備において、上記密封管路構造は、コントローラーを操作して冷房モードに切り換えられるとき、圧縮機が管路内部の冷媒を圧送し四方弁、第１凝結器、第４逆止め弁、第３電磁弁、第２ろ過器と第２毛細管、蒸発器、さらに四方弁を通して圧縮機に戻して、冷房回路を構成し、この冷房回路中、第２ろ過器と第２毛細管が蒸発器に蒸発作用を発生させ、内ファンにより蒸発器が生成した低温で室内を冷却し、外ファンで第１凝結器に対して送風、放熱し、排水管により蒸発器が発生した凝結水を室外に導出することを特徴とする、空調設備。
【請求項８】
請求項１記載の空調設備において、上記密封管路構造は、コントローラーを操作して暖房モードに切り換えられるとき、圧縮機が管路内部の冷媒を圧送して四方弁、蒸発器、第３逆止め弁、第１ろ過器、第１毛細管、第１凝結器を通し、さらに四方弁を通して圧縮機に戻し、こうして暖房回路を構成し、この暖房回路中、第１ろ過器と第１毛細管は第１凝結器に蒸発作用を発生させ、外ファンにより第１凝結器に対して送風し、冷却し、蒸発器を流れる高温を内ファンにより蒸発器に対して送風、放熱することで、室内に向けて暖房を行うことを特徴とする、空調設備。
【請求項９】
請求項１記載の空調設備において、上記密封管路構造は、コントローラーの操作により除湿モードへと切り換えられるとき、空調設備内部の密封管路構造は、圧縮機が圧送する管路内部の冷媒が、四方弁、第１電磁弁、第１逆止め弁、第１凝結器の後部回路、第４逆止め弁、第２電磁弁、第２凝結器、第２逆止め弁、第２ろ過器と第２毛細管、蒸発器をとおり、さらに四方弁をとおり圧縮機にもどり、除湿回路を構成し、この除湿回路中、第１凝結器は、外ファンの送風により熱エネルギーを一部少量放熱し、さらに第２凝結器により内ファンの送風で室内を暖房し、蒸発器を組み合わせて室内に対して冷房し、この動作により、室内空気中の水分子を大量に凝結させ、排水管により室外に導出し、また、内ファンにより室内に送出した乾燥空気も、第２凝結器を通過することにより、その温度が下がらないことを特徴とする、空調設備。
【請求項１０】
請求項１又は９記載の空調設備において、上記密封管路構造は、コントローラーの操作により除湿モードに切り換えられるとき、該室内空気の湿度はコントローラーにより設定され得ることを特徴とする、空調設備。
【考案の詳細な説明】
【技術分野】
【０００１】
本考案は一種の空調設備に係り、特に一種の、必要により冷房モード、暖房モード、除湿モードに設定でき、冷房、暖房及び除湿機能を提供できる空調設備に関する。
【背景技術】
【０００２】
除湿機能を具えた冷房機、暖房機は伝統的に熟知された空調設備である。既知の技術中、冷房機、暖房機或いは除湿機の作用原理は大同小異であり、基本的にはいずれも冷媒を圧縮機の作用下で蒸発させるか凝結させることで、周辺空気の蒸発或いは凝結を誘発し、さらに空気循環作用により室内の温度、湿度を変える目的を達成する。
【０００３】
伝統的な、除湿機能を具えた冷房機、暖房機は、冷房モードのときに、通常はすでに処理された空気の湿度を下げることができ、その除湿機能はこの原理を利用し、冷房モードではただ圧縮機を制御して間欠性運転を行わせることで、対応する除湿効果を獲得できる。ただし、このような「冷房機能を使用して除湿を行う」操作方式は、次のような問題を形成し得る。たとえば、室温が除湿により明らかに下がり、すなわち低湿度高温度の環境要求に不適用となること、及び、湿度を設定できないため、室内の確実な湿度数値がどのようであるか確定できないので、これもまた固定湿度の環境には不適用である。実際の応用上、除湿機能は設定により有効に湿度を設定できないとき、室内の低温及び過度に乾燥した空気は、非常に容易に人体皮膚及び気管等の関係する不適症状を引き起こす。
【０００４】
伝統的に一般にみられる単一機体の除湿機は、その機能がすなわち除湿とされる。ただしこのような除湿機もまた上述の、湿度を設定できず、有効に室内湿度を制御できないという欠点を有しており、並びに、単一機体の除湿機は不使用のときに、余分の収納空間を必要とするという問題を有している。
【考案の概要】
【考案が解決しようとする課題】
【０００５】
本考案の主要な目的は、上述の伝統的な除湿機能を有する冷、暖房機の多くの欠点、問題を解決することにあり、その提出する一種の空調設備は、特に一種の、必要により冷房モード、暖房モード、除湿モードに設定でき、並びに室温設定、室内湿度設定により、有効に室内を適用環境となす空調設備であるものとする。
【課題を解決するための手段】
【０００６】
上記目的のため、本考案は以下の技術手段を採用する。
【０００７】
本考案の空調設備は、一組の密封管路構造、一組の給電構造、及びコントローラーを組み合わせて構成される。
【０００８】
上記密封管路構造は、室外配置と室内配置に分けられ、二つの配置の間は外接バルブで接続され、密封管路内部は冷媒が充填される。
【０００９】
上記室外配置は、圧縮機、凝結器、外ファン、ろ過器、毛細管、二つの電磁弁と二つの逆止め弁を含む。
【００１０】
上記室内配置は、凝結器、蒸発器、内ファン、ろ過器、毛細管、二つの電磁弁と二つの逆止め弁を含む。
【００１１】
上記給電構造は、外側回路板と少なくとも二つのセンサを含み、上記室外配置の各部品の動作を制御するのに用いられ、及び、内側回路板と少なくとも三つのセンサを含み、上述の室内配置の各部品の動作を制御するのに用いられる。
【００１２】
上記コントローラーは、コントロールパネル上に設けられた関係する設定ボタン、ディスプレイスクリーンと指示ランプを含み、室内の必要な温度、湿度を設定でき、上記密封管路構造は冷房モード、暖房モード、除湿モードをそれぞれ構成することで、室内に対して、冷房、暖房、或いは除湿を行う。
【考案の効果】
【００１３】
上記コントローラーにより冷房モードに切り換えられるとき、本考案の空調設備は冷房機とされ、室内温度を下げるのに用いられ、且つ該室内温度はコントローラーにより設定され得る。
【００１４】
上記コントローラーにより暖房モードに切り換えられるとき、本考案の空調設備は暖房機とされ、室内温度を上げるのに用いられ、且つ該室内温度はコントローラーにより設定され得る。
【００１５】
上記コントローラーにより除湿モードに切り換えられるとき、本考案の空調設備は除湿機とされ、室内空気の湿度を下げてしかし温度は下げないようにするのに用いられ、且つ該室内空気の湿度はコントローラーにより設定され得る。
【００１６】
上述の本考案の空調設備は、必要により窓型単一機体に製造され得るほか、室内機に室外機を加えた分離式機体に製造され得る。
【図面の簡単な説明】
【００１７】
【図１】本考案の空調設備の管路構造表示図である。
【図２】本考案の空調設備の冷房モードに切り換えられた時の管路構造表示図である。
【図３】本考案の空調設備の暖房モードに切り換えられた時の管路構造表示図である。
【図４】本考案の空調設備の除湿モードに切り換えられた時の管路構造表示図である。
【図５】本考案の空調設備の給電構造とコントロールパネルの表示図である。
【考案を実施するための形態】
【００１８】
以下に本考案の技術内容、構造特徴、達成する目的及び作用効果について、以下に例を挙げ並びに図面を組み合わせて詳細に説明する。
【００１９】
図１及び図５に示されるように、本考案の空調設備は、一組の密封管路構造１０、一組の、外側回路板５０と内側回路板６０で構成される給電構造、及び、コントローラー７０が組み合わされて構成される。
【００２０】
図１に示されるように、上述の密封管路構造１０は、密封管路構造１０の管路上に、第１外接バルブ１３と第２外接バルブ１４が設けられ、該第１外接バルブ１３と第２外接バルブ１４により密封管路構造１０が室外配置と室内配置に分けられ、密封管路構造１０の管路内部には冷媒が充填される。
【００２１】
もし空調設備が分離式機体に製造されるのであれば、該第１外接バルブ１３及び第２外接バルブ１４は延伸管路の連接バルブとされ得る。
【００２２】
また図１に示されるように、上記室外配置は、圧縮機１１、四方弁１２、第１凝結器２０、外ファン２１、第１電磁弁２２、第１逆止め弁２３、第１ろ過器２４、第１毛細管２５、及び第４逆止め弁２６を含む。
【００２３】
上記室内配置は、第２凝結器３０、内ファン３１、第２電磁弁３２、第２逆止め弁３３、蒸発器４０、第３電磁弁４１、第２ろ過器４２、第２毛細管４３、第３逆止め弁４４、及び排水管４５を含む。
【００２４】
図１に示されるように、上述の室外配置の圧縮機１１は、密封管路構造１０内部の冷媒を圧送し流動させるのに用いられる。四方弁１２は圧縮機１１内部より押し出される冷媒の流動方向の正逆を切り換えるのに用いられる。外ファン２１は、第１凝結器２０に対して送風し、室外空気の循環流動を形成するのに用いられる。第１電磁弁２２と第１逆止め弁２３は、第１凝結器２０の後続管路を導通させるのに用いられる。及び、第１ろ過器２４と第１毛細管２５は、第４逆止め弁２６に組み合わされて、第１凝結器２０の管路内部に対して高圧冷媒を送り込んで、第１凝結器２０に蒸発作用を発生させるのに用いられる。
【００２５】
上述の室内配置中、内ファン３１は第２凝結器３０及び蒸発器４０に対して送風して、室内空気を循環流動させるのに用いられる。第２電磁弁３２と第２逆止め弁３３は、第２凝結器３０を導通させ、第２凝結器３０に凝結作用を発生させるのに用いられる。第２ろ過器４２と第２毛細管４３は、第３逆止め弁４４及び第３電磁弁４１に組み合わされて、蒸発器４０の管路内部に高圧冷媒を送り込み、蒸発器４０に蒸発作用を発生させるのに用いられる。及び、排水管４５は、第２凝結器３０及び蒸発器４０の作用で発生した凝結水を室外に導出するのに用いられる。
【００２６】
図５に示されるように、上述の給電構造は、外側回路板５０と内側回路板６０を含む。
【００２７】
上記外側回路板５０は、給電端子５１、変圧器５２、コントロール回路チップ５３、第１センサ５４、及び第２センサ５５を含む。
【００２８】
上記内側回路板６０は、給電端子６１、変圧器６２、コントロール回路チップ６３、第３センサ６４、第４センサ６５、及び第５センサ６６を含む。
【００２９】
上記給電構造の外側回路板５０の給電端子５１は、外部電源に接続可能で、外側回路板５０、圧縮機１１、四方弁１２、外ファン２１、及び第１電磁弁２２に対して給電するのに用いられる。変圧器５２の出力端は、コントロール回路チップ５３及びそのコントロール回路に対して給電するのに用いられ、第１センサ５４は圧縮機１１の吐出口端に設置され図１中に示されるようであり、圧縮機１１の吐出口端の温度を検出するのに用いられ、第２センサ５５は第１凝結器２０の外側に設置され、室外温度を検出するのに用いられる。
【００３０】
上記給電構造の内側回路板６０の給電端子６１は、外側回路板５０の給電端子５１と、同一の外部電源に接続され、内側回路板６０、内ファン３１、第２電磁弁３２、及び第３電磁弁４１に給電するのに用いられる。変圧器６２の出力端は、コントロール回路チップ６３及びそのコントロール回路に給電するのに用いられ、第３センサ６４は、上述の密封管路構造１０の第２凝結器３０の入風口端に設置されて、室内温度を検出するのに用いられる。第４センサ６５は、密封管路構造１０の室内配置管路上に設置され、室内配置の管路温度を検出するのに用いられる。第５センサ６６は、上述の密封管路構造１０の第２凝結器３０の入風口端に設置されて、室内湿度を検出するのに用いられる。
【００３１】
また、図５に示されるように、上述のコントローラー７０は、有線、或いは無線リモートコントロール方式で、給電構造に接続、導通される。コントローラー７０のパネル上には、ディスプレイスクリーン７１、昇温設定ボタン７２、降温設定ボタン７３、機能選択ボタン７４、風量ボタン７４、温度表示ランプ７６、湿度表示ランプ７７、タイマーボタン７８、及びスイッチボタン７９が設けられる。
【００３２】
機能選択ボタン７４は、上述の密封管路構造１０に図２に示されるように冷房モードを、図３に示されるように暖房モードを、及び図４に示されるように除湿モードをそれぞれ構成させる設定を行うのに用いられる。昇温設定ボタン７２及び降温設定ボタン７３は、冷房、暖房モード下で、室内温度数値を設定（たとえば２６℃とする）するのに用いられ、除湿モード下で、室内湿度数値を設定（たとえば５０％とする）するのに用いられる。風量ボタン７４は、内ファン３１の風量の大小を設定できる。温度表示ランプ７６は、冷房、暖房モードを表示するのに用いられる。湿度表示ランプ７７は、除湿モードを表示するのに用いられる。スイッチボタン７９は、空調設備の運転をオンとオフするのに用いられ、タイマーボタン７８は、運転時間を設定するのに用いられる。各設定数値と運転状態は、ディスプレイスクリーン７１に表示され得る。
【００３３】
上記コントローラー７０のパネル上の各ボタン、ランプ、数値設定及び表示等、その機能と動作は、設定されたプログラムを以て、外側回路板５０のコントロール回路チップ５３、内側回路板６０上のコントロール回路チップ６３に書き込まれ、コントローラー７０の設定操作に基づき、密封管路構造１０の各部品がコントロールされ、給電構造上の各センサが対応する動作を行う。
【００３４】
コントローラー７０を操作して冷房モードに切り換えられるとき、本考案の空調設備は冷房機とされて、室内温度を（室外に対して）アップさせるのに用いられ、且つ該室内温度はコントローラー７０により設定され得る。
【００３５】
コントローラー７０を操作して暖房モードに切り換えられるとき、本考案の空調設備は暖房機とされて、室内温度を（室外に対して）ダウンさせるのに用いられ、且つ該室内温度はコントローラー７０により設定され得る。
【００３６】
上記暖房モードのとき、空調設備の内部の密封管路構造１０は、図３に示されるようであり、圧縮機１１が管路内部の冷媒を圧送して四方弁１２、蒸発器４０、第３逆止め弁４４、第１ろ過器２４、第１毛細管２５、第１凝結器２０を通し、さらに四方弁１２を通して圧縮機１１に戻し、こうして暖房回路を構成する。この暖房回路中、第１ろ過器２４と第１毛細管２５は第１凝結器２０に蒸発作用を発生させ、外ファン２１により第１凝結器２０に対して送風し、冷却し、蒸発器４０を流れる高温を内ファン３１により蒸発器４０に対して送風、放熱することで、室内に向けて暖房を行う。
【００３７】
コントローラー７０の操作により除湿モードへと切り換えられるとき、本考案の空調設備は除湿機とされ、室内空気の湿度を下げるが温度は下げず、且つ該室内空気の湿度はコントローラー７０により設定可能である。
【００３８】
上述の除湿モードのとき、空調設備内部の密封管路構造１０は図４に示されるようであり、圧縮機１１が圧送する管路内部の冷媒は、四方弁１２、第１電磁弁２２、第１逆止め弁２３、第１凝結器２０の後部回路、第４逆止め弁２６、第２電磁弁３２、第２凝結器３０、第２逆止め弁３３、第２ろ過器４２と第２毛細管４３、蒸発器４０をとおり、さらに四方弁１２をとおり圧縮機１１にもどり、除湿回路を構成する。この除湿回路中、第１凝結器２０は、外ファン２１の送風により熱エネルギーを一部少量放熱し、さらに第２凝結器３０により内ファン３１の送風で室内を暖房し、蒸発器４０を組み合わせて室内に対して冷房し、この動作により、室内空気中の水分子を大量に凝結させ、排水管４５により室外に導出し、また、内ファン３１により室内に送出した乾燥空気も、第２凝結器３０を通過することにより、その温度が下がらない。
【００３９】
上述の本考案の空調設備は、その長所が明らかにわかり、すなわち、必要により冷房モード、暖房モード、除湿モードに設定でき、単一除湿機が余分の収納空間を必要とする問題を解決する。このほか、本考案の除湿モードは室内湿度を設定でき、室内に必要な乾燥環境を達成させられるが、室温を下げることはなく、有効に伝統的な湿度を制御できない全ての欠点を解決する。これにより、本考案は最も一般家庭、オフィスに適用され、さらにたとえば各種実験室、展示室、貯蔵室などの室内空気に対して特殊な必要のある場所に適用され、本考案の上記の所定の目的を達成する。
【符号の説明】
【００４０】
１０  密封管路構造
１１  圧縮機
１２  四方弁
１３  第１外接バルブ
１４  第２外接バルブ
２０  第１凝結器
２１  外ファン
２２  第１電磁弁
２３  第１逆止め弁
２４  第１ろ過器
２５  第１毛細管
２６  第４逆止め弁
３０  第２凝結器
３１  内ファン
３２  第２電磁弁
３３  第２逆止め弁
４０  蒸発器
４１  第３電磁弁
４２  第２ろ過器
４３  第２毛細管
４４  第３逆止め弁
４５  排水管
５０  外側回路板
５１  給電端子
５２  変圧器
５３  コントロール回路チップ
５４  第１センサ
５５  第２センサ
６０  内側回路板
６１  給電端子
６２  変圧器
６３  コントロール回路チップ
６４  第３センサ
６５  第４センサ
６６  第５センサ
７０  コントローラー
７１  ディスプレイスクリーン
７２  昇温設定ボタン
７３  降温設定ボタン
７４  機能選択ボタン
７５  風量ボタン
７６  温度表示ランプ
７７  湿度表示ランプ
７８  タイマーボタン
７９  スイッチボタン
【図１】
0003197617.tif 000003
【図２】
0003197617.tif 000004
【図３】
0003197617.tif 000005
【図４】
0003197617.tif 000006
【図５】
0003197617.tif 000007